(57)【要約】【課題】  スポーツシューズ等の要緩衝機材における緩衝機能を顕示する装飾部材に関するものであって、模様表示の汚損を防ぐとともに、要緩衝機材自体への新規な加飾効果を奏する手法の開発を技術課題とした。【解決手段】  目的の形状に成形した透明な表殻部材１と、この表殻部材１内に充填される機能発現部材２とを具えて成り、前記表殻部材１は、その内面に模様表示３が設けられていることを特徴として成るものであり、表殻部材１の内側に模様表示３が形成されるから、外側からの汚損等の影響を受けずに、模様表示３が常に安定した状態に維持されることとなる。【選択図】図１
2006288907.tif 000002
【特許請求の範囲】
【請求項１】
目的の形状に成形した透明な表殻部材と、この表殻部材内に充填される機能発現部材とを具えて成り、前記表殻部材は、その内面に模様表示が設けられていることを特徴とする機能顕示を兼ねた装飾部材。
【請求項２】
前記模様表示は、表殻部材を成形する以前の平板状のブランクシートに対して、あらかじめ変形見込印刷をして形成されたものであることを特徴とする請求項１記載の機能顕示を兼ねた装飾部材。
【請求項３】
前記模様表示は、表殻部材とは別体の模様表示を施したシールを、表殻部材内側に貼付して形成されたものであることを特徴とする請求項１または２記載の機能顕示を兼ねた装飾部材。
【請求項４】
平板状のブランクシートに、変形見込印刷により模様表示を形成し、次いでこのブランクシートを金型に沿わせた形状に加熱塑性変形させ、これにより内側にポケット部が形成された表殻部材を形成し、前記ポケット部に対し、機能発現部材を充填することを特徴とする機能顕示を兼ねた装飾部材の製造方法。
【請求項５】
平板状のブランクシートを金型に沿わせた形状に加熱塑性変形をし、これにより内側にポケット部が形成された表殻部材を形成し、前記ポケット部に対し、模様表示が印刷されたシールを貼付し、次いで前記ポケット部に対し、機能発現部材を充填することを特徴とする機能顕示を兼ねた装飾部材の製造方法。
【請求項６】
前記ポケット部に対する機能発現部材の充填は、未硬化の機能発現部材の素材を流し込み、その後、これを硬化させて行うことを特徴とする請求項４または５記載の機能顕示を兼ねた装飾部材の製造方法。
【請求項７】
前記ポケット部に対する機能発現部材の充填は、前記ポケット部に嵌り込むような形状に成形された機能発現部材を嵌め込むとともに、接着させて行うことを特徴とする請求項４または５記載の機能顕示を兼ねた装飾部材の製造方法。
【請求項８】
前記請求項１、２または３記載の機能顕示を兼ねた装飾部材が、要緩衝部に対して具えられていることを特徴とする機能顕示を兼ねた装飾部材が組み込まれた要緩衝機材。
【請求項９】
前記要緩衝機材は、靴またはヘルメットまたは身体用プロテクタであることを特徴とする請求項８記載の機能顕示を兼ねた装飾部材が組み込まれた要緩衝機材。
【発明の詳細な説明】
【技術分野】
【０００１】
本発明は例えばスポーツシューズ等における緩衝機能を顕示する装飾部材に関するものであって、特にその部材自体への新規な加飾手法に係るものである。
【背景技術】
【０００２】
従来から、スポーツシューズ等には高い緩衝機能が求められ、このためゲル等を充填したクッション部材を靴底に埋め込み、所望の性能が発揮できるような構成が採られている。
加えて、その高性能であることを視覚的に積極的に顕示するとともに、装飾効果を発揮させて商品性を高める工夫がされている。具体的には、靴底から、あるいは靴底側縁または後縁等からクッション部材の一部を外部から露見できる状態に組み込み、装飾部材としての機能を発揮できるような構成が採られている。
ところで、このような機能顕示部材の場合、更にその商品としての指標力を高めるため、ブランドマーク等の表示も併せて行うことがある。このための手法は、従来は専ら常識的な手法が採られており、具体的には露見部表面にブランドマーク等を印刷する等の手法が採られているものであり、それ以上の改善の試みは成されていない。
当然ながら、このように露見部の外部表面に模様表示が設けられている場合には、その汚損等が不可避でもあった。
【発明の開示】
【発明が解決しようとする課題】
【０００３】
本発明はこのような背景を認識してなされたものであって、現実にはこの種の装飾部材が単一無垢部材ではなく、まず透明な表殻部材内に機能発現部材が保持されて一体部材となっている構成に着眼し、この構成を生かした加飾手法を開発することを技術課題としたものである。
【課題を解決するための手段】
【０００４】
すなわち請求項１記載の機能顕示を兼ねた装飾部材は、目的の形状に成形した透明な表殻部材と、この表殻部材内に充填される機能発現部材とを具えて成り、前記表殻部材は、その内面に模様表示が設けられていることを特徴として成るものである。
【０００５】
また請求項２記載の機能顕示を兼ねた装飾部材は、前記要件に加え、前記模様表示は、表殻部材を成形する以前の平板状のブランクシートに対して、あらかじめ変形見込印刷をして形成されたものであることを特徴として成るものである。
【０００６】
更にまた請求項３記載の機能顕示を兼ねた装飾部材は、前記請求項１または２記載の要件に加え、前記模様表示は、表殻部材とは別体の模様表示を施したシールを、表殻部材内側に貼付して形成されたものであることを特徴として成るものである。
【０００７】
また請求４項記載の機能顕示を兼ねた装飾部材の製造方法は、平板状のブランクシートに、変形見込印刷により模様表示を形成し、次いでこのブランクシートを金型に沿わせた形状に加熱塑性変形させ、これにより内側にポケット部が形成された表殻部材を形成し、前記ポケット部に対し、機能発現部材を充填することを特徴として成るものである。
【０００８】
また請求５項記載の機能顕示を兼ねた装飾部材の製造方法は、平板状のブランクシートを金型に沿わせた形状に加熱塑性変形をし、これにより内側にポケット部が形成された表殻部材を形成し、前記ポケット部に対し、模様表示が印刷されたシールを貼付し、次いで前記ポケット部に対し、機能発現部材を充填することを特徴として成るものである。
【０００９】
更にまた請求項６記載の機能顕示を兼ねた装飾部材の製造方法は、前記請求項４または５記載の要件に加え、前記ポケット部に対する機能発現部材の充填は、未硬化の機能発現部材の素材を流し込み、その後、これを硬化させて行うことを特徴として成るものである。
【００１０】
更にまた請求項７記載の機能顕示を兼ねた装飾部材の製造方法は、前記請求項４または５記載の要件に加え、前記ポケット部に対する機能発現部材の充填は、前記ポケット部に嵌り込むような形状に成形された機能発現部材を嵌め込むとともに、接着させて行うことを特徴として成るものである。
【００１１】
また請求項８記載の機能顕示を兼ねた装飾部材が組み込まれた要緩衝機材は、前記請求項１、２または３記載の機能顕示を兼ねた装飾部材が、要緩衝部に対して具えられていることを特徴として成るものである。
【００１２】
更にまた請求項９記載の機能顕示を兼ねた装飾部材が組み込まれた要緩衝機材は、前記請求項８記載の要件に加え、前記要緩衝機材は、靴またはヘルメットまたは身体用プロテクタであることを特徴として成るものである。
そしてこれら各請求項記載の発明の構成を手段として前記課題の解決が図られる。
【発明の効果】
【００１３】
まず請求項１、２、３記載の発明によれば、表殻部材の内側に模様表示が形成されるから、外側からの汚損等の影響を受けずに、模様表示が常に安定した状態に維持されることとなる。
また請求項４、５、６，７記載の発明によれば、安定した模様表示が形成された機能顕示を兼ねた装飾部材を合理的に製造することができる。
また請求項８、９記載の発明によれば、要緩衝機材における緩衝機能の顕示と、更にその部位における意匠効果を高めることができる。
【発明を実施するための最良の形態】
【００１４】
本発明の「機能顕示を兼ねた装飾部材並びにその製造方法並びに機能顕示を兼ねた装飾部材が組み込まれた要緩衝機材」の最良の形態の一つは以下の実施例に説明するとおりであって、始めに「機能顕示を兼ねた装飾部材及びこの機能顕示を兼ねた装飾部材が組み込まれた要緩衝機材」について説明し、続いて「機能顕示を兼ねた装飾部材の製造方法」について説明する。
なおこれらの実施例に対して、本発明の技術的思想の範囲内において適宜変更を加えることも可能である。
【実施例】
【００１５】
図１中、符号Ｓで示すものは、要緩衝機材たる適用製品Ａの一例であるスポーツシューズであって、この靴底部かかと側、あるいは側面に本発明の装飾部材Ｄが、その一部を外部に露出させた状態で組み付けられるものである。
前記装飾部材Ｄについて述べると、このものは透明な表殻部材１に対して機能発現部材２を組み合わせて成るものであり、ポケット部１１内に機能発現部材２が充実した状態で設けられて成る。
そして前記表殻部材１におけるポケット部１１の底部となるような部位が露見部１２と成るものであって、一例として適用製品ＡとしてのスポーツシューズＳに装飾部材Ｄが組み付けられたときに、この露見部１２が外部に露出された状態となる。すなわち前記露見部１２を通して、その内部に位置する機能発現部材２が視認されるものであり、更に露見部１２の内側に対して形成される模様表示３も視認されることとなる。
【００１６】
この実施例では、前記機能発現部材２としてアルファゲル（登録商標）が採用されるものであり、このアルファゲルは高度の緩衝性能を有する素材として公知なものであるため、このもの自体が外部から視認されることにより、適用製品ＡたるスポーツシューズＳにおける緩衝機能（接地時の衝撃吸収性）の優秀さが顕示される。更に機能発現部材２に色付けすることにより、スポーツシューズＳの更なる加飾を図るようにしてもよい。
またこの実施例では、前記模様表示３の一例として文字列「α  ＧＥＬ」（本出願人の登録商標でもある）を示したが、このようにしたときには前記機能発現部材２がアルファゲルであることが明示されるとともに、スポーツシューズＳがブランドにより更に加飾されることとなる。
【００１７】
なお前記模様表示３は、表殻部材１に対して直接印刷して形成したり、表殻部材１とは別体のシール４に対して印刷等によって形成し、このシール４を露見部１２の内側に貼付して形成することができる。
【００１８】
ここで前記諸部材の素材について説明すると、まず前記表殻部材１は、ポリエチレン、ポリプロピレン等の透明な樹脂を素材とするものである。そして樹脂素材を０．５〜１．０ｍｍ程度の厚さのシート状に形成して得られるブランクシート１０を出発素材とし、このものを適宜金型５を用いるなどして所望形状に成形することにより、表殻部材１を得る。なおブランクシート１０は、その透明度が失われない程度に着色することも可能である。
【００１９】
また前記機能発現部材２として採用されたアルファゲルはシリコーンを主成分とするゲル状物質であって、例えば次式〔１〕で示されるジオルガノポリシロキサン（以下Ａ成分という）：ＲＲ1 2 ＳｉＯ−（Ｒ2 2 ＳｉＯ）ｎＳｉＲ1 2 Ｒ…〔１〕
［ただし、Ｒはアルケニル基であり、Ｒ1 は脂肪族不飽和結合を有しない一価の炭化水素基であり、Ｒ2 は一価の脂肪族炭化水素基（Ｒ2 のうち少なくとも５０モル％はメチル基であり、アルケニル基を有する場合にはその含有率は１０モル％以下である）であり、ｎはこの成分の２５℃における粘度が１００〜１０００００ｃＳｔになるような数である］と、２５℃における粘度が５０００ｃＳｔ以下であり、一分子中に少なくとも２個のＳｉ原子に直接結合した水素原子を有するオルガノハイドロジェンポリシロキサン（Ｂ成分）とからなり、且つこのＢ成分中のＳｉ原子に直接結合している水素原子の合計量に対するＡ成分中に含まれるアルケニル基の合計量の比（モル比）が０．１〜２．０になるように調整された混合物を硬化させることにより得られる付加反応型シリコーンコポリマーである。
もちろん前記機能発現部材２としては上記アルファゲルの他にも、ポリウレタン、ポリスチレン等が適用され得る。
【００２０】
また前記模様表示３としては、ブランド名、会社名、製品名等の文字列の他、各種模様、絵、写真等、適用製品Ａを加飾したり明示するものであれば種々のものが採用し得る。
また模様表示３については、適宜モノクロ表示としてもよいし、複数の色を組み合わせたカラー表示としてもよい。更に適宜反射材あるいは高輝材料を用いて形成しても差し支えない。
【００２１】
次に上述した装飾部材Ｄの製造プロセスとともに、本発明の製造方法について説明する。
〔模様表示をブランクシートに変形見込印刷する実施例〕
〔模様表示の形成〕
まず図２（ａ）に示すブランクシート１０に対し、模様表示３を形成するものであり、この模様表示３はブランクシート１０の変形を見込んで、図２（ｂ）に示すように幾分か変形した変形見込印刷３１として印刷される。すなわちブランクシート１０が所望の表殻部材１の形状となったときに、所望形状の模様表示３が形成されるように、縮小された文字列が印刷されるものである。
【００２２】
〔表殻部材の形成〕
次いで図２（ｃ）に示すように、ブランクシート１０を金型５に対しセットし、図２（ｄ）に示すように真空成形あるいはブロー成形により所定の形状に伸展させるものであり、ポケット部１１の底部に露見部１２が形成された表殻部材１が得られる。
またこの伸展にともなって図２（ｃ）（ｄ）中の矢示図に示すように、変形見込印刷３１も変形して完成状態の模様表示３となる。
【００２３】
〔機能発現部材の形成〕
次いで図３（ｅ）に示すように表殻部材１を離型し、例えば未硬化のゲル等の機能発現部材２をポケット部１１に流し込み、その後これを硬化させることにより、図３（ｆ）（ｇ）に示す完成状態の装飾部材Ｄが得られるものである。
【００２４】
また図３（ｅ′）に示すように、あらかじめポケット部１１に嵌り込むような形状に成形された機能発現部材２を別途用意しておき、これをポケット部１１に嵌め込むとともに、加熱溶着等によって接着させることにより、装飾部材Ｄを形成するような手法を採ることもできる。
なおポケット部１１への機能発現部材２充填は、金型５から離型する前に行ってもよい。
また前記ポケット部１１の開放側は必要に応じて、フィルム状の樹脂シート等により適宜シールしてもよい。
そしてこのように構成された装飾部材Ｄは、適用製品Ａと組み合わされた場合において、緩衝機能を顕示する他、更にその部位での意匠的な効果を高め、全体の商品性を向上させることができるものである。
【００２５】
〔模様表示をシールに印刷する実施例〕
【００２６】
〔表殻部材の形成〕
まず図４（ａ）（ｂ）に示すように、ブランクシート１０を金型５に対しセットし、図４（ｃ）に示すように真空成形あるいはブロー成形により所定の形状に伸展させるものであり、ポケット部１１の底部に露見部１２が形成された表殻部材１が得られる。
〔模様表示の形成〕
次に図４（ｄ）に示すように、前記露見部１２に対し模様表示３を形成するものであり、別途用意しておいた模様表示３が印刷されたシール４を表殻部材１のポケット部１１底部、すなわち露見部１２に内側から貼り付ける。
なお模様表示３として前記実施例で説明した変形見込印刷３１を併用することにより、より変化に富んだ加飾表現が可能となる。
【００２７】
〔機能発現部材の形成〕
次いで図３（ｅ）に示すように表殻部材１を離型し、例えば未硬化のゲル等の機能発現部材２をポケット部１１に流し込み、その後これを硬化させることにより、図３（ｆ）（ｇ）に示す完成状態の装飾部材Ｄが得られるものである。
【００２８】
また図３（ｅ′）に示すように、あらかじめポケット部１１に嵌り込むような形状に成形された機能発現部材２を別途用意しておき、これをポケット部１１に嵌め込むとともに、加熱溶着等によって接着させることにより、装飾部材Ｄを形成するような手法を採ることもできる。
【００２９】
〔適用製品の他の実施例〕
また本発明の装飾部材Ｄは、組み付け対象たる適用製品Ａを前出のスポーツシューズＳに限るものではなく、例えば図５に示すヘルメットＨ、身体用プロテクタＰ等を組み付け対象とすることができるものである。
【図面の簡単な説明】
【００３０】
【図１】本発明の装飾部材及びこのものが繰み込まれた要緩衝機材を示す斜視図並びに装飾部材を示す縦断側面図である。
【図２】本発明の装飾部材の製造プロセスを示す工程図である。
【図３】本発明の装飾部材の製造プロセスを示す工程図である。
【図４】本発明の装飾部材の製造プロセスを示す工程図である。
【図５】要緩衝機材の他の実施例を示す斜視図である。
【符号の説明】
【００３１】
Ｄ      装飾部材
１      表殻部材
１０    ブランクシート
１１    ポケット部
１２    露見部
２      機能発現部材
３      模様表示
３１    変形見込印刷
４      シール
５      金型
Ａ      適用製品
Ｓ      スポーツシューズ
Ｈ      ヘルメット
Ｐ      身体用プロテクタ
【図１】
2006288907.tif 000003
【図２】
2006288907.tif 000004
【図３】
2006288907.tif 000005
【図４】
2006288907.tif 000006
【図５】
2006288907.tif 000007